(57)【要約】      （修正有）【課題】使用者が手のひらの大きさに応じてマウスのケース体の両側の幅さを自由に調整できる、人間工学に基づいた、翼板を調整可能なハンドヘルド入力装置を提供する。【解決手段】翼板を調整可能なハンドヘルド入力装置は、ケース本体と、ケース本体の底面をカバーする底板と、ケース本体の一側に位置する翼板と、距離調整機構と、を含む。翼板は、ケース本体に固定される固定部と、可動部と、を備える。可動部とケース本体との間には調整可能な距離を有する。距離調整機構は、ケース本体に設置されると共に翼板の可動部に当接されており、翼板の可動部とケース本体との間の距離を調整することによってマウスの幅さを調整する。【選択図】図２
0003183747.tif 000002
【実用新案登録請求の範囲】
【請求項１】
翼板を調整可能なハンドヘルド入力装置であって、
ケース本体と、
前記ケース本体の底面をカバーする底板と、
前記ケース本体の一側に位置しており、前記ケース本体に固定される固定部と、前記ケース本体との間には調整可能な距離を有する可動部と、を備える翼板と、
前記ケース本体に設置されると共に前記翼板の前記可動部に当接されており、前記翼板の前記可動部と前記ケース本体との間の距離を調整することによってマウスの幅さを調整するための距離調整機構と、
を含むことを特徴とする、翼板を調整可能なハンドヘルド入力装置。
【請求項２】
前記距離調整機構は、
前記ケース本体の内部に位置する取付座と、
前記翼板と前記ケース本体との間に設置され、その一端が前記翼板に接続され、その他端が前記ケース本体に移動可能に接続されるネジ部材を有する柱体と、
前記取付座に設置され、前記ネジ部材に移動可能に螺合接続され、前記柱体の移動位置を調整するための調整ホイールと、
を含むことを特徴とする、請求項１に記載の翼板を調整可能なハンドヘルド入力装置。
【請求項３】
前記取付座は、前記ケース本体の内側に固定される支持板を含み、
前記支持板の末端に凹溝が形成され、
前記調整ホイールは、螺合接続部を有し、前記凹溝に回動可能に架設され、
前記ネジ部材は前記螺合接続部に螺合接続されることを特徴とする、請求項２に記載の翼板を調整可能なハンドヘルド入力装置。
【請求項４】
前記螺合接続部は、前記調整ホイールの中央に形成される雌ねじであり、
前記ネジ部材が前記雌ねじに挿入されることを特徴とする、請求項３に記載の翼板を調整可能なハンドヘルド入力装置。
【請求項５】
前記調整ホイールは、スクロールホイールと、前記スクロールホイールの中央に挿通する軸方向円筒と、を備え、
前記螺合接続部は、前記軸方向円筒の内側面に形成され、
前記柱体の前記ネジ部材は、前記軸方向円筒の内部に螺合接続されることを特徴とする、請求項３に記載の翼板を調整可能なハンドヘルド入力装置。
【請求項６】
前記底板にはホイール孔が形成され、
前記スクロールホイールの一部が前記ホイール孔に露出することによって使用者が前記スクロールホイールを回動させることを特徴とする、請求項５に記載の翼板を調整可能なハンドヘルド入力装置。
【請求項７】
前記ケース本体は、前記翼板の内側に延伸する側板を備え、
前記側板には貫通孔が形成され、
前記柱体が前記貫通孔に挿通されることを特徴とする、請求項５に記載の翼板を調整可能なハンドヘルド入力装置。
【請求項８】
前記取付座は、側板の内側に位置すると共に貫通孔の付近に位置するホルダー部を更に備え、
前記軸方向円筒は、前記ホルダー部及び前記支持板の上に回動可能に設置されることを特徴とする、請求項６に記載の翼板を調整可能なハンドヘルド入力装置。
【請求項９】
前記ネジ部材は、雄ねじを有するスリーブであり、
前記スリーブは、前記柱体に固定されることを特徴とする、請求項２に記載の翼板を調整可能なハンドヘルド入力装置。
【請求項１０】
スリーブを前記柱体に固定するためのストッパー部を更に含み、
前記ストッパー部は、前記調整ホイールが前記柱体からの脱出を防止することを特徴とする、請求項９に記載の翼板を調整可能なハンドヘルド入力装置。
【請求項１１】
前記ストッパー部は、挿入ピンと、前記挿入ピンに接続されるフック部材と、を含み、
前記柱体及び前記スリーブに、挿入孔がそれぞれ形成され、
前記挿入ピンは、前記挿入孔に挿通され、
前記フック部材は、前記柱体の末端に掛けられることを特徴とする、請求項１０に記載の翼板を調整可能なハンドヘルド入力装置。
【請求項１２】
前記翼板の前記固定部は、前記ケース本体へ延伸する少なくとも一つの固定板を備え、
前記ケース本体は、少なくとも一つの固定柱を備え、
前記少なくとも一つの固定板は、前記少なくとも一つの固定柱に固定されることを特徴とする、請求項１に記載の翼板を調整可能なハンドヘルド入力装置。
【請求項１３】
前記翼板は、前記固定板に近い係止板を備え、
前記係止板は前記ケース本体に係止されることを特徴とする、請求項１２に記載の翼板を調整可能なハンドヘルド入力装置。
【請求項１４】
前記翼板は、前記ケース本体に固定される前記固定部から使用者の薬指と小指を支持するための二つの延伸翼板に分けられ、
各前記延伸翼板の内側に前記距離調整機構がそれぞれ設置されることを特徴とする、請求項１に記載の翼板を調整可能なハンドヘルド入力装置。
【請求項１５】
前記ケース本体の両側に前記翼板がそれぞれ設置されることを特徴とする、請求項１に記載の翼板を調整可能なハンドヘルド入力装置。
【考案の詳細な説明】
【技術分野】
【０００１】
本考案は、翼板（ｗｉｎｇ  ｐｌａｔｅ）を調整可能なハンドヘルド入力装置に関するものであり、特に、その両側における、使用者の指を支持するための部位を外向き又は内向きに調整可能なハンドヘルド入力装置に関するものである。
【背景技術】
【０００２】
マウスは、コンピューターによく使用されている指標入力装置である。マウスを平面上に移動することによって、コンピューターの表示画面におけるカーソルを移動させる。また、マウスのボタンを押すと、プログラムコマンドを入力することができる。
【０００３】
通常、マウスは、使用者が把持するためのケース体と、ケース体の底面に固定される底板と、を備える。使用者が右手でマウスを操作する場合、通常、使用者の親指はマウスのケース体の左側に位置し、使用者の薬指と小指はマウスのケース体の右側に位置する。従来のマウスのケース体のサイズが固定されるため、使用者は自分の手のひらの大きさに応じてマウスのケース体の幅さを調整することができない。即ち、異なる使用者であっても、同じサイズのマウスを使用せざるを得ない。一方、マウスのメーカーは、異なる使用者に応じていろんなサイズのケース体を有するマウスを生産することができるものの、その分、製造コストの増加及び在庫リスクの上昇を招く。
【考案の概要】
【考案が解決しようとする課題】
【０００４】
そこで、本考案の出願人は、上記の問題点を改善するために、鋭意検討を行なった結果、合理的な設計で且つ上記の問題点を有効に改善する本考案を完成するに至った。
【０００５】
本考案は、使用者が手のひらの大きさに応じてマウスのケース体の両側の幅さを自由に調整できる、人間工学（ｈｕｍａｎ―ｆａｃｔｏｒｓ  ｅｎｇｉｎｅｅｒｉｎｇ）に基づいた、翼板を調整可能なハンドヘルド入力装置を提供することを課題とする。
【課題を解決するための手段】
【０００６】
本考案に係る翼板を調整可能なハンドヘルド入力装置は、ケース本体と、ケース本体の底面をカバーする底板と、ケース本体の一側に位置する翼板と、距離調整機構と、を含む。翼板は、ケース本体に固定される固定部と、可動部と、を備える。可動部とケース本体との間には調整可能な距離を有する。距離調整機構は、ケース本体に設置されると共に翼板の可動部に当接されており、翼板の可動部とケース本体との間の距離を調整することによってマウスの幅さを調整する。
【考案の効果】
【０００７】
本考案に係る翼板を調整可能なハンドヘルド入力装置によれば、マウスの両側における、使用者の指を支持するための翼板を外向き又は内向きに移動させることができるため、手のひらのサイズが異なる使用者全体に適用できる。
【図面の簡単な説明】
【０００８】
【図１】本考案に係る翼板を調整可能なハンドヘルド入力装置の立体分解図である。
【図２】本考案に係る翼板を調整可能なハンドヘルド入力装置の立体組立図（底板が外され、且つ、翼板が調整されていない場合）である。
【図３】本考案に係る翼板を調整可能なハンドヘルド入力装置の立体組立図である。
【図４】本考案に係る翼板を調整可能なハンドヘルド入力装置の底面図（翼板が調整されていない場合）である。
【図５】本考案に係る翼板を調整可能なハンドヘルド入力装置の上面図（翼板が調整されていない場合）である。
【図６】本考案に係る翼板を調整可能なハンドヘルド入力装置の立体組立図（底板が外され、且つ、翼板が調整された場合）である。
【図７】本考案に係る翼板を調整可能なハンドヘルド入力装置の底面図（翼板が調整された場合）である。
【図８】本考案に係る翼板を調整可能なハンドヘルド入力装置の上面図（翼板が調整された場合）である。
【考案を実施するための形態】
【０００９】
以下、本明細書と図面に開示された本考案の実施形態は、本考案の技術内容をより分かりやすく説明し、本考案の理解を助けるために実施例を挙げたものに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１０】
図１及び図２は、それぞれ本考案に係る翼板を調整可能なハンドヘルド入力装置の立体分解図及び立体組立図である。本考案に係る翼板を調整可能なハンドヘルド入力装置１００は、ケース本体１０と、ケース本体１０の底面をカバーする底板２０と、ケース本体１０の両側に位置する一対の翼板３０、４０と、複数の距離調整機構５０と、を含む。図１に示すように、二つの翼板３０、４０は、ケース本体１０に固定される固定部３１、４１と、可動部（即ち符号３２、３３、４２で示す部材）と、をそれぞれ備える。可動部と前記ケース本体１０との間には調整可能な距離を有する。これらの距離調整機構５０は、ケース本体１０に設置されると共に翼板３０、４０の可動部（即ち符号３２、３３、４２で示す部材）に当接される。本考案において、複数の距離調整機構５０で翼板３０、４０の可動部とケース本体１０との間の距離を調整することによって、使用者が手のひらの大きさに応じてマウスの外形、特にマウスの幅さを調整することができる。即ち、本考案に係る翼板を調整可能なハンドヘルド入力装置は人間工学に基づいたマウスである。
【００１１】
ケース本体１０と底板２０との間に、カーソルを制御するための部材、例えばマウス１００のケーブルＣ、回路基板、スクロールホイールＷを含むエンコーダユニットなどが収容される。また、本考案は有線マウスまたは無線マウスに適用されてもよい。ケース本体１０は、頂部１１と、頂部１１から両側へ曲折延伸してなる二つの側板１２、１４と、を有する。側板１２、１４は、翼板３０、４０の内側にそれぞれ延伸する。言い換えれば、二つの側板１２、１４は、ケース本体１０と翼板３０、４０との間にそれぞれ位置する。側板１２、１４は貫通孔１２０をそれぞれ備える（図１において、側板１４の一部は翼板４０に遮られているため、貫通孔が図示されていない）。柱体５４は貫通孔１２０に挿通される。側板１２、１４は、ケース本体１０の内部に収容される部材を保護することができると共に、距離調整機構５０を固定することもできる。また、本実施例において、側板１２、１４を省略してもよい。その場合、関連の構造はケース本体１０の頂部１１の内側に設置されるようにしてもよい。
【００１２】
本実施例において、ケース本体１０の両側に翼板３０、４０がそれぞれ設置されるが、他の実施例において、ケース本体１０の一側のみに一つの翼板が設置されるようにしてもよい。また、より人間工学的にデザインするために、本実施例の図１において、左側の翼板３０は、ケース本体１０に固定される一側から二つの延伸翼板３２、３３に分けられる。図３乃至図５は、それぞれ本考案に係る翼板を調整可能なハンドヘルド入力装置の立体組立図、底面図及び上面図である。使用者が右手でマウスを操作する場合、翼板３０の延伸翼板３２、３３は使用者の薬指及び小指をそれぞれ支持し、翼板４０は親指を支持する。各延伸翼板３２、３３の内側には距離調整機構５０がそれぞれ設置される。また、翼板４０の内側に一つの距離調整機構５０が設置される。言い換えれば、使用者は、薬指、小指及び親指を支持しようとする位置をそれぞれ調整することができる。
【００１３】
以下、図１及び図２を参照しながら、翼板３０をケース本体１０に固定する方法について説明する。翼板３０の固定部３１は、ケース本体１０へ延伸してなる少なくとも一つの固定板を有する。ケース本体１０は、固定板に固定接続される少なくとも一つの固定柱を有する。本実施例において、翼板３０は、側板１２に挿通する一対の固定板３１１、３１２を有する。一対の固定板３１１、３１２は二つの延伸翼板３２、３３にそれぞれ対応する。ケース本体１０は一対の固定柱１１１を有する（図１は一方の固定柱のみを示し、他方の固定柱は高さが低くて遮られるため、図示されていない）。一対の固定板３１１、３１２は一対の固定柱１１１に固定される。また、本実施例において、翼板３０は、一対の固定板３１１、３１２の間に位置する係止板３１３を有する。係止板３１３はケース本体１０の側板１２に係止される（図示せず）。また、側板１２に、固定板に対応する貫通溝１２１および係止板３１３に係合する係合溝（図示せず）が設けられる（図１において、固定板３１１を挿通させるための貫通溝１２１のみを示す）。係合溝は貫通溝１２１に垂直する。
【００１４】
図１及び図２に示すように、二つの翼板３０、４０は、距離調整機構５０にそれぞれ接続される。本実施例において、マウス１００の両側には類似の構造を有するため、以下、左側の翼板３０を例として説明する。また、延伸翼板３２と接続される距離調整機構５０が組み立てられた状態にある。ここで、延伸翼板３３と接続される距離調整機構５０の分解された状態を例として説明する。
【００１５】
本実施例において、距離調整機構５０は、ケース本体１０の内部に位置する取付座５２と、翼板３０、４０とケース本体１０との間に設置される柱体５４と、取付座５２に設置される調整ホイール５６と、を含む。柱体５４は、その一端が翼板３０に接続され、他端がケース本体１０のネジ部材５５に移動可能に接続される。調整ホイール５６は、ネジ部材５５に移動可能に螺合されることによって、柱体５４の変位を調整する。
【００１６】
本実施例の取付座５２は、ケース本体１０の内側に固定される支持板５２ａを含む。支持板５２ａの末端には凹溝５２０が形成される。図１に示すように、凹溝５２０は、支持板５２ａの頂部に位置しており、略Ｕ字状を呈する。調整ホイール５６は、凹溝５２０の内部に回動可能に架設される。また、取付座５２は、貫通孔１２０の付近に位置するホルダー部５２ｂを有する。ホルダー部５２ｂは、側板１２の内側から取付座５２へ延伸する。軸方向円筒５６２は、ホルダー部５２ｂと支持板５２ａとに回動可能に設置される。言い換えれば、調整ホイール５６は、取付座５２における支持板５２ａとホルダー部５２ｂとの間に回動するように制限される。
【００１７】
柱体５４の外側は、翼板３０に固定接続される。また、柱体５４は、翼板４０と一体形成されるようにしてもよく、ボルトなどの固定部材により翼板３０に固定されるようにしてもよい。また、柱体５４の最外側は装飾部材により遮られる。
【００１８】
調整ホイール５６に、ネジ部材５５に螺合するための螺合接続部が形成される。調整ホイール５６は、螺旋動作によって柱体５４を移動させる。本実施例において、調整ホイール５６の中央に雌ねじを有する螺合接続部５６０が形成される。ネジ部材５５は、螺合接続部５６０を貫通すると共に螺合接続部５６０に螺合接続される。
【００１９】
より詳しく説明すると、図１に示すように、調整ホイール５６は、スクロールホイール５６１と、スクロールホイール５６１の中央に挿通する軸方向円筒５６２と、を備える。螺合接続部５６０は軸方向円筒５６２の内側に形成される。柱体５４のネジ部材５５は軸方向円筒５６２に螺合接続される。また、ネジ部材５５は柱体５４の外周に一体成形されるようにしてもよい。本実施例において、ネジ部材５５は雄ねじ５５１を有するスリーブである。スリーブは柱体５４に固設される。図４に示すように、底板２０にスクロールホイール５６１に対応するホイール開口２２が形成され、使用者がスクロールホイール５６１を回動させるように、スクロールホイール５６１の一部はホイール開口２２に露出する。ホイール開口２２の両側は略斜面を呈する。底板２０が所定の厚さを有するため、スクロールホイール５６１は底板２０の底面を越えない。本実施例は、翼板３０における延伸翼板３２、３３及び翼板４０をそれぞれ調整するために、三つの距離調整機構５０のスクロールホイール５６１に対応する三つのホイール開口２２を備える。
【００２０】
図１に示すように、スリーブであるネジ部材５５を固定するために、翼板を調整可能なハンドヘルド入力装置は、スリーブを柱体５４に固定するストッパー部材５８を更に含む。ストッパー部材５８は、調整ホイール５６が柱体５４からの脱出を防止する機能を有する。また、図１に示すように、ストッパー部材５８は、挿入ピン５８１と、Ｐ字状を呈するように挿入ピン５８１に接続されるフック部材５８２と、を含む。柱体５４及びスリーブであるネジ部材５５に、挿入孔５４０、５５０がそれぞれ形成される。挿入ピン５８１が挿入孔５４０、５５０に挿入されることによって、フック部材５８２が柱体５４の末端に掛けられる。また、本実施例において、柱体５４は中空体である。フック部材５８２は、挿入ピン５８１の一端から曲折して柱体５４の末端の中空部位に掛けられる。
【００２１】
使用者がスクロールホイール５６１を回動させる時、螺合接続部５６０は螺旋動作でネジ部材５５を外向き又は内向きへ移動させることによって、柱体５４は外向き又は内向きへ移動する。これにより、翼板３０、４０は外向き又は内向きへ移動することができる。また、本考案は上述した実施例に限定されるものではなく、ネジ部材を移動させることができれば、どんな構造を使用してもよい。例えば、調整ホイールは、ネジ部材５５を移動させるためのウォームギア（ｗｏｒｍ  ｇｅａｒ）又は歯車装置であってもよいが、特に制限がない。
【００２２】
図６は、本考案に係る翼板を調整可能なハンドヘルド入力装置の立体組立図（底板が外され、且つ、翼板が調整された場合）である。図７及び図８は、それぞれ本考案に係る翼板を調整可能なハンドヘルド入力装置の底面図及び上面図である。図２、図４及び図５に示す態様と比べると、図６乃至図８において、調整ホイール５６を回動することによって、柱体５４を外向きへ移動させると共に、翼板３０の延伸翼板３２、３３及び翼板４０を外向きへ移動させる。図５に示す態様と比べると、図８において、翼板３０、４０の先端は既に外向きへ移動したため、手のひらが大きい使用者に適用できる。上述したように、本考案に係る翼板を調整可能なハンドヘルド入力装置によれば、異なるサイズのケース本体を製造せずに、使用者の手のひらの大きさに応じて翼板を自由に調整できる。
【００２３】
即ち、本考案に係る翼板を調整可能なハンドヘルド入力装置は下記の特徴を有する。
（１）手のひらのサイズが異なる使用者全体に適用できるように、マウスの両側における、使用者の指を支持するための翼板を外向き又は内向きに移動させることができる。
（２）翼板を調整するための調整ホイール５６は、マウスの底面に位置し、その一部が底板２０から露出する。
【００２４】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２５】
１００  マウス（ハンドヘルド入力装置）
１０  ケース本体
１１  頂部
１１１  固定柱
１２、１４  側板
１２０  貫通孔
１２１  貫通溝
２０  底板
２２  ホイール開口
３０、４０  翼板
３１、４１  固定部
３１１、３１２  固定板
３１３  係止板
３２、３３  延伸翼板（可動部）
４２  可動部
５０  距離調整機構
５２  取付座
５２ａ  支持板
５２ｂ  ホルダー部
５２０  凹溝
５４  柱体
５４０  挿入孔
５５  ネジ部材
５５０  挿入孔
５５１  雄ねじ
５６  調整ホイール
５６０  螺合接続部
５６１  スクロールホイール
５６２  軸方向円筒
５８  ストッパー部材
５８１  挿入ピン
５８２  フック部材
Ｃ  ケーブル
Ｗ  スクロールホイール
【図１】
0003183747.tif 000003
【図２】
0003183747.tif 000004
【図３】
0003183747.tif 000005
【図４】
0003183747.tif 000006
【図５】
0003183747.tif 000007
【図６】
0003183747.tif 000008
【図７】
0003183747.tif 000009
【図８】
0003183747.tif 000010